Podtech/llm-jp-corpus-v4-ja_patent huggingface dataset:
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
（ｉ）シラン官能性ポリマーと、
（ｉｉ）多官能性アルコールと、
（ｉｉｉ）酸と
を含む、ポリマー組成物。
【請求項２】
前記シラン官能性ポリマーが、エチレンとビニルトリアルコキシシランモノマーとの共重合体である、請求項１に記載の組成物。
【請求項３】
前記多官能性アルコールが、エチレングリコール、１，２−及び１，３−プロピレングリコール、１，２−、１，３−、２，３−若しくは１，４−ブタンジオール、ペンチルグリコール、ネオペンチルグリコール、１，６−ヘキサンジオール、１，１２−ドデカンジオール、１，４−ジヒドロキシシクロヘキサン、１，４−ビス（ヒドロキシメチル）シクロヘキサン、p−キシリレングリコール若しくは２，５ジクロロ−ｐ−キシリレングリコール、２，２−（β−ヒドロキシエトキシフェニル）プロパン、Ｎ，Ｎ’−ビス（β−ヒドロキシエチル）−５，５−ジメチルヒダントイン、Ｎ，Ｎ’−ビス（β−ヒドロキシプロピル）−５，５−ジメチルヒダントイン、メチレンビス−［Ｎ−（β−ヒドロキシエチル）−５−メチル−５−エチルヒダントイン］、メチレンビス−［Ｎ−（β−ヒドロキシエチル）−５，５−ジメチルヒダントイン］、Ｎ’Ｎ’−ビス（β−ヒドロキシエチル）ベンズイミダゾロン、Ｎ，Ｎ’−ビス（β−ヒドロキシエチル）−（テトラクロロ）ベンズイミダゾロン又はＮ，Ｎ’−ビス（β−ヒドロキシエチル）−（テトラブロモ）ベンズイミダゾロンの少なくとも１種を含む、請求項１に記載の組成物。
【請求項４】
前記酸がアルキル化アリールジスルホン酸であるブロックされた強酸である、請求項１に記載の組成物。
【請求項５】
請求項１に記載の組成物から作製される二次加工品。
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
（ａ）イソブチレン、２−メチル−１−ブテン、２−メチル−１−ペンテン、２−メチル−１−ヘキセン、およびそれらの組み合わせから成る群から選択されたイソオレフィンである少なくとも１種のカチオン重合可能な分枝アルケンモノマーを含む複数の構成単位と、
（ｂ）ベンゾシクロブテン（ＢＣＢ）ペンダント基を有する少なくとも１種のカチオン重合可能なオレフィンモノマーを含む複数の構成単位と、
を含んで成る、ポリマー。
【請求項２】
（ａ）イソブチレン、２−メチル−１−ブテン、２−メチル−１−ペンテン、２−メチル−１−ヘキセン、およびそれらの組み合わせから成る群から選択されたイソオレフィンである少なくとも１種のカチオン重合可能な分枝アルケンモノマーを含む複数の構成単位と、
（ｂ）ベンゾシクロブテン（ＢＣＢ）ペンダント基を有する少なくとも１種のカチオン重合可能なオレフィンモノマーを含む複数の構成単位と、
から調合された熱硬化ポリマーであって、該ポリマーが。加熱され、そして架橋されて熱硬化ポリマーを生成した、ポリマー。
【請求項３】
該ＢＣＢペンダント基を有するオレフィンモノマーが、式：
【化１】
2011503290.tif 000001
（式中、Ｒは水素またはｎアルキル基であり、そしてｎは０である。）
を有する、請求項１または２のポリマー。
【請求項４】
該ＢＣＢペンダント基を有するオレフィンモノマーが、４−ビニルベンゾシクロブテンまたは２−（４−ベンゾシクロブテニル）−プロペンである、請求項３のポリマー。
【請求項５】
該ＢＣＢペンダント基を有するオレフィンモノマーが、式：
【化２】
2011503290.tif 000002
（式中、Ｒは、アルキル基であり、そしてｎは、０〜３の範囲の整数である。）を有する、請求項１または２のポリマー。
【請求項６】
該ＢＣＢペンダント基を有するオレフィンモノマーが、２−メチル−３−（４−ベンゾシクロブテニル）−プロペンである、請求項５のポリマー。
【請求項７】
スチレン、インデン、α−メチルスチレン、ｐ−ｔｅｒｔ−ブチルスチレン、ｐ−クロロスチレン、ノルボルネン、およびそれらの組み合わせからなる群から選択された少なくとも１種のガラス形成性モノマーを含む複数の構成単位をさらに含む、請求項１〜６のいずれか一項のポリマー。
【請求項８】
該分枝アルケンモノマーが、イソブチレンであり、該ＢＣＢペンダント基を有するオレフィンモノマーが、４−ビニルベンゾシクロブテンであり、そして該ガラス形成性モノマーが、スチレンである、請求項７のポリマー。
【請求項９】
該ポリマーが、ｉ）ランダムコポリマーおよびｉｉ）ブロックコポリマーから成る群から選択されたポリマータイプである、請求項１または２のポリマー。
【請求項１０】
該ポリマーが、イソブチレンと４−ビニルベンゾシクロブテンとのランダムコポリマーである、請求項９のポリマー。
【請求項１１】
該ポリマーが、トリブロックコポリマー、星形ブロックコポリマー、またはそれらの組み合わせである、請求項９のポリマー。
【請求項１２】
該ベンゾシクロブテン（ＢＣＢ）ペンダント基を有する少なくとも１種のカチオン重合したオレフィンモノマーを含む複数の構成単位が、該ポリマーの該モノマー単位の０．０１〜６０モル％の範囲の量で存在する、請求項１〜１１のいずれか一項のポリマー。
【請求項１３】
（ａ）少なくとも１種の分枝アルケンモノマーであって、該分枝アルケンモノマーが、イソブチレン、２−メチル−１−ブテン、２−メチル−１−ペンテン、２−メチル−１−ヘキセン、およびそれらの組み合わせから成る群から選択されたイソオレフィンである、分枝アルケンモノマーと、
（ｂ）ベンゾシクロブテン（ＢＣＢ）ペンダント基を有する少なくとも１種のオレフィンモノマーと、
をカチオン重合させる工程を含んで成る、ポリマーの調製方法。
【請求項１４】
該カチオン重合ステップが、リビングカチオン重合を含む、請求項１３の方法。
【請求項１５】
少なくとも１８０℃の温度に該ポリマーを曝して、該ポリマーを架橋させ、そして熱硬化ポリマーを生成させる工程のステップをさらに含む、請求項１３の方法。
【請求項１６】
５−ｔｅｒｔ−ブチル−１、３−ビス（１−メトキシ−１−メチルエチル）ベンゼンを含む開始剤の存在下で、該重合反応が起こる、請求項１３の方法。
【請求項１７】
少なくとも１種のガラス形成性モノマーが、少なくとも１種の分枝アルケンモノマーと、少なくとも１種のオレフィンモノマーとともにカチオン重合され、該少なくとも１種のガラス形成性モノマーが、スチレン、インデン、α−メチルスチレン、ｐ−ｔｅｒｔ−ブチルスチレン、ｐ−クロロスチレン、ノルボルネン、およびそれらの組み合わせからなる群から選択される、請求項１３の方法。
【請求項１８】
請求項１〜１２のいずれか一項のポリマーまたは請求項１３〜１７のいずれか一項の方法により形成された、眼内レンズ。
【請求項１９】
該ポリマーが、可塑剤、Ｘ線不透過性フィラー、またはそれらの組み合わせをさらに含む、請求項１８の眼内レンズ。
【請求項２０】
該ポリマーが、１．５２５〜１．５３５の範囲の屈折率を有する、請求項１８の眼内レンズ。
【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
TRAPポリペプチドまたはその免疫原性フラグメントをコードする第一のポリヌクレオチド配列を含むワクチン。
【請求項２】
TRAPポリペプチドが配列番号:1、配列番号:2、配列番号:3、配列番号:1の免疫原性フラグメント、配列番号:2の免疫原性フラグメント又は配列番号:3の免疫原性フラグメントである、請求項1に記載のワクチン。
【請求項３】
CD40と結合することができるCD154ポリペプチドをコードする第二のポリヌクレオチド配列をさらに含み、前記CD154ポリペプチドが50未満のアミノ酸を含み、さらに配列番号:4のアミノ酸140−149またはそのホモローグを含む、請求項1または2に記載のワクチン。
【請求項４】
CD154ポリペプチドが配列番号:5、配列番号:6、配列番号:7、配列番号:8、配列番号:9を含む、請求項3に記載のワクチン。
【請求項５】
ワクチンが、第一のポリヌクレオチド配列の2つ以上のコピー、第二のポリヌクレオチド配列の2つ以上のコピー、又は、その両方を含む、請求項3−4のいずれかに記載のワクチン。
【請求項６】
第一のポリヌクレオチド配列が第二のポリヌクレオチド配列にインフレームで連結される、請求項3−5のいずれかに記載のワクチン。
【請求項７】
第一のポリヌクレオチドがベクター内に含まれる、請求項1−6のいずれかに記載のワクチン。
【請求項８】
ベクターがウイルス、細菌およびリポソームから成る群から選択される、請求項7に記載のワクチン。
【請求項９】
ベクターが細菌である請求項8に記載のワクチン。
【請求項１０】
細菌がその表面にTRAPポリペプチドを含む、請求項9に記載のワクチン。
【請求項１１】
細菌が、サルモネラ属（Salmonella）の種、バシルス属（Bacillus）の種、エシェリキア属（Escherichia）の種およびラクトバシルス属（Lactobacillus）の種から成る群から選択される、請求項9または10に記載のワクチン。
【請求項１２】
第一のポリヌクレオチドがトランスメンブレンタンパク質の外部部分をコードするポリヌクレオチド配列に挿入される、請求項１〜１１のいずれかに記載のワクチン。
【請求項１３】
アピコンプレックス門寄生虫に対する非ヒト対象の免疫応答を強化するために有効な量で請求項１〜１２のいずれかに記載のワクチンを非ヒト対象に投与することを含む、アピコンプレックス門寄生虫に対する免疫応答を非ヒト対象で強化する方法。
【請求項１４】
ワクチンが、経口、鼻内、非経口および卵内から成る群から選択される方法によって投与される、請求項１３に記載の方法。
【請求項１５】
免疫応答の強化が抗体応答の強化又はT細胞応答の強化を含む、請求項１３〜１４のいずれかに記載の方法。
【請求項１６】
非ヒト対象が家禽種のメンバー又は非ヒト哺乳動物である、請求項１３〜１５のいずれかに記載の方法。
【請求項１７】
ワクチンを含むベクターが非ヒト対象に投与する前に殺処理される、請求項１３〜１６のいずれかに記載の方法。
【請求項１８】
ワクチンを含むベクターが非ヒト対象で複製することができない、請求項１３〜１７のいずれかに記載の方法。
【請求項１９】
アピコンプレックス門寄生虫がアイメリア属（Eimeria）、プラスモジウム属（Plasmodium）、トキソプラズマ属（Toxoplasma）およびクリプトスポリジウム属（Cryptosporidium）から成る群から選択される、請求項１３〜１８のいずれかに記載の方法。
【請求項２０】
アピコンプレックス門寄生虫に対する非ヒト対象の免疫応答を強化するために有効な量で請求項１〜１２のいずれかに記載のワクチンを非ヒト対象に投与することを含む、非ヒト対象でアピコンプレックス門寄生虫の感染に関連する罹病率を低下させる方法。
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
強皮症の治療のための医薬の製造における、I型インターフェロン（IFN）の拮抗薬の治療上有効量の使用。
【請求項２】
1種以上の強皮症随伴症状の治療のための医薬の製造における、I型インターフェロンの拮抗薬の治療上有効量の使用。
【請求項３】
前記拮抗薬が抗体である、請求項1又は2に記載の使用。
【請求項４】
前記抗体が抗IFNαR抗体である、請求項3に記載の使用。
【請求項５】
前記抗体が抗IFNα抗体である、請求項3に記載の使用。
【請求項６】
症状が皮膚線維症、皮膚病変、脱毛症、炎症、皮膚肥厚、コラーゲン沈着、タンパク尿、及び補体沈着からなる群より選択される、請求項1又は2に記載の使用。
【請求項７】
抗体が約0.03 mg/kg〜約30 mg/kgの量で用いられる、請求項1又は2に記載の使用。
【請求項８】
前記治療が改良型ロッドナンスキンスコアで測定される症状の改善をもたらす、請求項1又は2に記載の使用。
【請求項９】
前記治療がレイノー状態スコア（RCS）で測定される症状の改善をもたらす、請求項1又は2に記載の使用。
【請求項１０】
前記治療が患者皮膚試料に対して行うqPCR解析で測定される症状の改善をもたらす、請求項1又は2に記載の使用。
【請求項１１】
前記治療がMPO、TNFα、IL-6、及びINOSからなる群より選択される炎症性遺伝子発現を減少させる、請求項10に記載の使用。
【請求項１２】
前記治療がKLF10、TIMP、EPGN、及びMMP9からなる群より選択される組織再構築関連遺伝子発現を減少させる、請求項10に記載の使用。
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
ヒドロキシプロピルＭＳが０．８以上およびメトキシルＤＳが２以上である、ヒドロキシプロピルメチルセルロース；ならびに
アルキルポリグリコシド界面活性剤；
を含む、パーソナルケア組成物。
【請求項２】
アルキルポリグリコシドが、アルキルポリグルコシドである、請求項１に記載のパーソナルケア組成物。
【請求項３】
該組成物が、実質的にエトキシレート不含有である、請求項１に記載のパーソナルケア組成物。
【請求項４】
該組成物が、実質的にラウレス硫酸ナトリウム不含有である、請求項１に記載のパーソナルケア組成物。
【請求項５】
該組成物の粘度が９００ｃｐ超である、請求項１に記載のパーソナルケア組成物。
【請求項６】
該組成物の粘度が１０００ｃｐ超である、請求項１に記載のパーソナルケア組成物。
【請求項７】
該組成物のヘイズ値が１０以下である、請求項１に記載のパーソナルケア組成物。
【請求項８】
該組成物が、単相である、請求項１に記載のパーソナルケア組成物。
【請求項９】
ヒドロキシプロピルメチルセルロースが、該組成物の０．２質量％超から該組成物の１．５質量％未満の範囲で存在する、請求項１に記載のパーソナルケア組成物。
【請求項１０】
ヒドロキシプロピルメチルセルロースが、該組成物の０．２質量％〜０．９質量％の範囲で存在する、請求項１に記載のパーソナルケア組成物。
【請求項１１】
ヒドロキシプロピルメチルセルロースが、該組成物の０．３質量％〜０．６質量％の範囲で存在する、請求項１に記載のパーソナルケア組成物。
【請求項１２】
アルキルポリグリコシドが、Ｃ８〜Ｃ１６脂肪族アルコールグルコシドである、請求項１に記載のパーソナルケア組成物。
【請求項１３】
界面活性剤が、該組成物の５質量％〜２５質量％の範囲で存在する、請求項１に記載のパーソナルケア組成物。
【請求項１４】
コカミドプロピルベタインを共界面活性剤として更に含む、請求項１に記載のパーソナルケア組成物。
【請求項１５】
界面活性剤混合物が、該組成物の５質量％〜２５質量％の範囲で存在する、請求項１４に記載のパーソナルケア組成物。
【請求項１６】
界面活性剤混合物が、該組成物の９質量％〜１５質量％の範囲で存在する、請求項１４に記載のパーソナルケア組成物。
【請求項１７】
界面活性剤混合物が、該組成物の９質量％〜１０質量％の範囲で存在する、請求項１４に記載のパーソナルケア組成物。
【請求項１８】
界面活性剤混合物が、該組成物の９．５質量％〜２４質量％の範囲で存在する、請求項１４に記載のパーソナルケア組成物。
【請求項１９】
界面活性剤混合物が、該組成物の２０質量％〜２５質量％の範囲で存在する、請求項１４に記載のパーソナルケア組成物。
【請求項２０】
ヒドロキシプロピルメチルセルロースが、該組成物の０．３質量％〜０．６質量％の範囲で存在する、請求項１４に記載のパーソナルケア組成物。
【請求項２１】
ヒドロキシプロピルメチルセルロースが、該組成物の０．５質量％〜０．６質量％の範囲で存在する、請求項１７に記載のパーソナルケア組成物。
【請求項２２】
ヒドロキシプロピルメチルセルロースが、該組成物の０．３質量％〜０．６質量％の範囲で存在する、請求項１８に記載のパーソナルケア組成物。
【請求項２３】
ヒドロキシプロピルメチルセルロースが、該組成物の０．３質量％〜０．４質量％の範囲で存在する、請求項１９に記載のパーソナルケア組成物。
【請求項２４】
該組成物の粘度が、１０００ｃｐ超である、請求項２１または２３に記載のパーソナルケア組成物。
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
少なくとも一種の４−１ＢＢレセプターアゴニストリガンドまたはその機能的に等価な変異体と、少なくとも一種のＩ型インターフェロンまたはその機能的に等価な変異体とを含んでなる、組成物。
【請求項２】
一つまたはいくつかの容器に、
(i)少なくとも一種の４−１ＢＢレセプターアゴニストリガンドまたはその機能的に等価な変異体の薬学的に許容される製剤と、
(ii)少なくとも一種のI型インターフェロンまたはその機能的に等価な変異体の薬学的に許容される製剤と、そして任意に
(iii)少なくとも一種の化学療法化合物の薬学的に許容される製剤と
を含んでなる、キット。
【請求項３】
(i)４−１ＢＢレセプターアゴニストリガンドまたはその機能的に等価な変異体をコードするヌクレオチド配列と、
(ii)I型インターフェロンまたはその機能的に等価な変異体をコードするヌクレオチド配列とを含んでなるポリヌクレオチドであって、
前記双方の配列がともに発現調節配列に先行されてなる、ポリヌクレオチド。
【請求項４】
前記４−１ＢＢレセプターアゴニストリガンドが、前記４−１ＢＢレセプターの天然リガンドまたはアゴニスト抗４−１ＢＢレセプター抗体である、請求項１に記載の組成物、請求項２に記載のキット、または請求項３に記載のポリヌクレオチド。
【請求項５】
前記アゴニスト抗４−１ＢＢレセプター抗体が、ＩｇＧ−２Ａ型免疫グロブリンである、請求項４に記載の組成物、キットまたはポリヌクレオチド。
【請求項６】
前記アゴニスト抗４−１ＢＢレセプター抗体がヒト化抗体である、請求項４または５に記載の組成物、キットまたはポリヌクレオチド。
【請求項７】
前記I型インターフェロンが、インターフェロンアルファおよびインターフェロンベータからなる群から選択されるものである、請求項１、４〜６のいずれか一項に記載の組成物、請求項２、４〜６のいずれか一項に記載のキットまたは請求項３〜６のいずれか一項に記載のポリヌクレオチド。
【請求項８】
前記I型インターフェロンが、ＩＦＮ−α２ａ、ＩＦＮ−α２ｂ、ＩＦＮ−α４、ＩＦＮ−α５、ＩＦＮ−α８およびそれらの組み合わせの群から選択されるインターフェロンアルファである、請求項７に記載の組成物、キットまたはポリヌクレオチド。
【請求項９】
前記I型インターフェロンがペグインターフェロンである、請求項７または８に記載の組成物、キットまたはポリヌクレオチド。
【請求項１０】
請求項３〜９のいずれか一項に記載のポリヌクレオチドを含んでなる、ベクター。
【請求項１１】
請求項１０に記載のベクターを含んでなる、細胞。
【請求項１２】
癌の治療または予防用薬剤の調製に用いられる請求項１、４〜９のいずれか一項に記載の組成物、請求項２、４〜９のいずれか一項に記載のキット、請求項３〜９のいずれか一項に記載のポリヌクレオチド、請求項１０に記載のベクター、または請求項１１に記載の細胞。
【請求項１３】
前記癌が、固形腫瘍である、請求項１２に記載の組成物、キット、またはポリヌクレオチド。
【請求項１４】
前記癌が、結腸癌である、請求項１３に記載の組成物、キット、またはポリヌクレオチド。
【請求項１５】
前記キットの異なる成分が別個の投与に適したものである、請求項１２〜１４のいずれか一項に記載のキット。
【請求項１６】
前記４−１ＢＢレセプターアゴニストリガンドが全身投与に適したものである、請求項１５に記載のキット。
【請求項１７】
前記I型インターフェロンが腫瘍内投与に適したものである、請求項１５または１６に記載のキット。
【請求項１８】
請求項１、４〜９のいずれか一項に記載の組成物、請求項３〜９のいずれか一項に記載のポリヌクレオチド、請求項１０に記載のベクターまたは請求項１１に記載の細胞および薬学的に許容される担体を含んでなる、医薬製剤。
【請求項１９】
癌の治療または予防のための、請求項１８に記載の医薬製剤。
【手続補正書】
【提出日】平成23年11月1日(2011.11.1)
【手続補正１】
【補正対象書類名】特許請求の範囲
【補正対象項目名】請求項１
【補正方法】変更
【補正の内容】
【請求項１】
式（Ｉ）：
【化１】
2011503028.tif 000001
［式中、
Ｘは、Ｃ、Ｐ（Ｒx）、Ｐ（Ｏ−Ｒx）、Ｓ、またはＳ（＝Ｏ）であり、ここで、Ｒxは、Ｈ、アルキル、シクロアルキル、ヘテロシクロアルキル、アリール、またはヘタリールであり、アルキルは、ハロゲン、シアノ、ニトロ、アルコキシ、シクロアルキル、シクロアルコキシ、ヘテロシクロアルキル、ヘテロシクロアルコキシ、アリール、アリールオキシ、ヘタリール、およびヘタリールオキシの中から選択される１、２、３、４、または５つの置換基を有していてもよく、並びにシクロアルキル、ヘテロシクロアルキル、アリール、およびヘタリールは、アルキル並びにアルキルに対して上記において言及された置換基の中から選択される１、２、３、４、または５つの置換基を有していてもよく、
Ａは、両側の結合の間に１〜４個の架橋原子を有する二価の架橋基であり、
Ｒ1は、Ｈ、アルキル、アルケニル、アルキニル、シクロアルキル、ヘテロシクロアルキル、アリール、またはヘタリールであり、ここで、アルキル、アルケニル、およびアルキニルは、ハロゲン、シアノ、ニトロ、アルコキシ、シクロアルキル、シクロアルコキシ、ヘテロシクロアルキル、ヘテロシクロアルコキシ、アリール、アリールオキシ、ヘタリール、およびヘタリールオキシの中から選択される１、２、３、４、または５つの置換基を有していてもよく、並びにシクロアルキル、ヘテロシクロアルキル、アリール、およびヘタリールは、アルキル並びにアルキル、アルケニル、およびアルキニルに対して上記において言及された置換基の中から選択される１、２、３、４、または５つの置換基を有していてもよい］の化合物、またはそれらの塩を、触媒の存在下での該式（Ｉ）の化合物と一酸化炭素および水素との反応によりヒドロホルミル化するための方法において、前記触媒が、元素周期表の第ＶＩＩＩ族の遷移金属と、式（ＩＩ）：
【化２】
2011503028.tif 000002
［式中、
Ｐｎは、ピニコゲン原子であり；
Ｗは、両側の結合の間に１〜８個の架橋原子を有する二価の架橋基であり、
Ｒ2は、式（Ｉ）の化合物の−Ｘ（＝Ｏ）ＯＨ基に対して少なくとも１つの分子間非共有結合を形成することができる官能基であり、
Ｒ3およびＲ4は、それぞれ、互いに独立して、アルキル、シクロアルキル、ヘテロシクロアルキル、アリール、またはヘタリールであり、ここで、アルキルは、ハロゲン、シアノ、ニトロ、アルコキシ、シクロアルキル、シクロアルコキシ、ヘテロシクロアルキル、ヘテロシクロアルコキシ、アリール、アリールオキシ、ヘタリール、およびヘタリールオキシの中から選択される１、２、３、４、または５つの置換基を有していてもよく、並びにシクロアルキル、ヘテロシクロアルキル、アリール、およびヘタリールは、アルキル並びにアルキルに対して上記において言及された置換基の中から選択される１、２、３、４、または５つの置換基を有していてもよく、あるいは、
プニコゲン原子と一緒になって、かつ存在する場合には基Ｙ2およびＹ3と一緒になって、１、２、３、または４つのシクロアルキル、ヘテロシクロアルキル、アリール、またはヘタリール基とさらに縮合していてもよい５〜８員のヘテロ環を形成していてもよく、ここで、当該ヘテロ環および場合によって存在する縮合基は、それぞれ、互いに独立して、ハロゲン、シアノ、ニトロ、アルキル、アルコキシ、シクロアルキル、シクロアルコキシ、ヘテロシクロアルキル、ヘテロシクロアルコキシ、アリール、アリールオキシ、ヘタリール、およびヘタリールオキシの中から選択される１、２、３、４、または５つの置換基を有し、
ａ、ｂ、およびｃは、それぞれ、互いに独立して、０または１であり、並びに
Ｙ1，Ｙ2，およびＹ3は、それぞれ、互いに独立して、Ｏ、Ｓ、ＮＲa、またはＳｉＲbＲcであり、ここで、Ｒa、Ｒb、およびＲcは、それぞれ、互いに独立して、水素、アルキル、シクロアルキル、ヘテロシクロアルキル、アリール、またはヘタリールであり、アルキルは、ハロゲン、シアノ、ニトロ、アルコキシ、シクロアルキル、シクロアルコキシ、ヘテロシクロアルキル、ヘテロシクロアルコキシ、アリール、アリールオキシ、ヘタリール、およびヘタリールオキシの中から選択される１、２、３、４、または５つの置換基を有していてもよく、並びにシクロアルキル、ヘテロシクロアルキル、アリール、およびヘタリールは、アルキル並びにアルキルに対して上記において言及された置換基の中から選択される１、２、３、４、または５つの置換基を有していてもよい］の少なくとも１つの化合物との少なくとも１つの錯体を含む前記方法。
【手続補正２】
【補正対象書類名】特許請求の範囲
【補正対象項目名】請求項３
【補正方法】変更
【補正の内容】
【請求項３】
前記式（Ｉ）の化合物のＸが、Ｃ、Ｓ（＝Ｏ）、またはＰ（Ｏ−Ｒx）であり、ここで、Ｒxは、Ｈであるか、あるいはそれぞれ、置換されていてよいアルキル、シクロアルキル、またはアリールである、請求項１または２に記載の方法。
【手続補正３】
【補正対象書類名】特許請求の範囲
【補正対象項目名】請求項１６
【補正方法】変更
【補正の内容】
【請求項１６】
Ｒ2が、−ＮＨ−Ｃ（＝ＮＨ）ＮＨＲwであり、この場合、Ｒwは、Ｈ、アルキル、シクロアルキル、アリール、またはヘタリールである、請求項１４または１５のいずれか１項に記載の方法。
【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
非ヒト動物におけるマダニを駆除するための動物用組成物の製造における、遊離形態または塩形態である、式Ｉ
【化１】
2011503029.tif 000001
の化合物の使用。
【請求項２】
非ヒト動物に生理学的に許容される担体または希釈剤と共に、請求項１に記載の式Ｉの化合物を含む殺マダニ組成物。
【請求項３】
ポアオン製剤またはスポットオン製剤であることを特徴とする、請求項２に記載の殺マダニ組成物。
【請求項４】
非ヒト動物に使用する殺マダニ組成物の調製のための、請求項１に記載の式Ｉの化合物の使用。
【請求項５】
非ヒト動物におけるマダニの処理に使用するための、請求項１に記載の式Ｉの化合物。
【手続補正書】
【提出日】平成23年11月7日(2011.11.7)
【手続補正１】
【補正対象書類名】特許請求の範囲
【補正対象項目名】請求項１５
【補正方法】変更
【補正の内容】
【請求項１５】
増殖性疾患、免疫関連疾患、神経変性疾患、感染性疾患、及び代謝関連病態のうちのいずれか１つの病理学的障害の治療用薬剤の製剤における式ＩＩの化合物の使用。
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
アポモルヒネの鼻腔内投与のための液体水性配合物であって、
(a)     少なくとも15 mg/mlのアポモルヒネ；ならびに
(b)     可溶化剤として少なくとも一つのポリオキシエチレン−ポリオキシプロピレンコポリマー（ポロキサマー）
を含み、
前記ポロキサマーが、9,700 Da以下の平均分子量を有し、および/または一般式HO(C2H4O)a(C3H6O)b(C2H4O)aHを有し、前記式中、aは2から90であり、および/またはbは15から40である、液体水性配合物。
【請求項２】
少なくとも20 mg/mlのアポモルヒネを含む、請求項１に記載の配合物。
【請求項３】
25 mg/mlから60 mg/mlのアポモルヒネを含む、請求項２に記載の配合物。
【請求項４】
前記ポロキサマーが、ポロキサマー124、ポロキサマー188、またはポロキサマー237である、請求項１から３のいずれか一項に記載の配合物。
【請求項５】
前記ポロキサマーが、50 mg/mlから250 mg/mlの量で存在する、請求項１から４のいずれか一項に記載の配合物。
【請求項６】
20 mg/mlから40 mg/mlのアポモルヒネHCl、および100 mg/mlから200 mg/mlのポロキサマー188を含む、請求項１から５のいずれか一項に記載の配合物。
【請求項７】
抗酸化剤を含む、請求項１から６のいずれか一項に記載の配合物。
【請求項８】
請求項１から７のいずれか一項に記載の配合物で満たされた、経鼻薬物送達装置、または経鼻薬物送達装置において使用するための一回投与カートリッジ。
【請求項９】
アポモルヒネの水溶解度を上昇させるための可溶化剤としての、
9,700 Da以下の平均分子量を有し、および/または一般式HO(C2H4O)a(C3H6O)b(C2H4O)aHを有し、前記式中、aは2から90であり、および/またはbは15から40である、少なくとも一つのポリオキシエチレン−ポリオキシプロピレンコポリマー（ポロキサマー）
の使用。
【請求項１０】
アポモルヒネを投与する必要がある患者に対するアポモルヒネの鼻腔内投与のための医薬の製造における、可溶化剤としての、
9,700 Da以下の平均分子量を有し、および/または一般式HO(C2H4O)a(C3H6O)b(C2H4O)aHを有し、前記式中、aは2から90であり、および/またはbは15から40である、少なくとも一つのポリオキシエチレン−ポリオキシプロピレンコポリマー（ポロキサマー）
の使用。
【請求項１１】
アポモルヒネを投与する必要がある患者に対するアポモルヒネの鼻腔内投与における使用のための、請求項１から７のいずれか一項に記載の配合物。
【請求項１２】
パーキンソン病を治療および/または処置するための医薬の製造における、請求項１０に記載の使用。
【請求項１３】
勃起不全を治療および/または処置するための医薬の製造における、請求項１０に記載の使用。
【請求項１４】
パーキンソン病の治療および/または処置における使用のための、請求項１１に記載の配合物。
【請求項１５】
勃起不全の治療および/または処置における使用のための、請求項１１に記載の配合物。
【請求項１６】
請求項１から７のいずれか一項に記載の配合物の鼻腔内投与を含む、アポモルヒネを投与する必要がある非ヒト動物に対する、アポモルヒネの投与方法。
【請求項１７】
前記非ヒト動物がパーキンソン病に罹患している、請求項１６に記載の方法。
【請求項１８】
請求項１から７のいずれか一項に記載の配合物の鼻腔内投与を含む、非ヒト動物におけるパーキンソン病を治療および/または処置する方法。
【請求項１９】
前記非ヒト動物が勃起不全に罹患している、請求項１６に記載の方法。
【請求項２０】
請求項１から７のいずれか一項に記載の配合物の鼻腔内投与を含む、非ヒト動物における勃起不全を治療および/または予防する方法。
【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
薬学的活性物質、賦形剤、およびアスコルビン酸と(ｉ)飽和または不飽和、直鎖または分枝鎖Ｃ１２−Ｃ１８脂肪酸、(ii)二塩基酸の直鎖または分枝鎖Ｃ８−Ｃ１８アルキルまたはアルケニルモノエステル、(iii)直鎖または分枝鎖Ｃ１０−Ｃ１８アルカノイルまたはアルケノイルＮ−置換アミノ酸、または(iv)ヒドロキシ酸の直鎖または分枝鎖Ｃ１０−Ｃ１８アルカノイルまたはアルケノイルエステルの反応産物である添加剤を含む、吸入治療に使用するための乾燥粉末製剤。
【請求項２】
薬学的活性物質、賦形剤、およびアスコルビン酸と(ｉ)飽和または不飽和、直鎖または分枝鎖Ｃ１２−Ｃ１８脂肪酸、(ii)二塩基酸の直鎖または分枝鎖Ｃ８−Ｃ１８アルキルまたはアルケニルモノエステル、(iii)直鎖または分枝鎖Ｃ１０−Ｃ１８アルカノイルまたはアルケノイルＮ−置換アミノ酸、または(iv)ヒドロキシ酸の直鎖または分枝鎖Ｃ１０−Ｃ１８アルカノイルまたはアルケノイルエステルの反応産物である添加剤を含むが、該賦形剤がシクロデキストリンまたはそのいかなる誘導体でもない、吸入治療に使用するための乾燥粉末製剤。
【請求項３】
添加剤がアスコルビン酸と飽和、直鎖Ｃ１２−Ｃ１８脂肪酸の反応産物である、請求項１または２に記載の乾燥粉末製剤。
【請求項４】
添加剤がアスコルビルドデカノエート、アスコルビルミリステート、アスコルビルパルミテートまたはアスコルビルステアレートである、請求項１〜３のいずれかに記載の乾燥粉末製剤。
【請求項５】
添加剤がアスコルビルパルミテートである、請求項１〜４のいずれかに記載の乾燥粉末製剤。
【請求項６】
添加剤が製剤の総重量に基づき０.５〜１０％ｗの量で存在する、請求項１〜５のいずれかに記載の乾燥粉末製剤。
【請求項７】
賦形剤がグルコース、ガラクトース、Ｄ−マンノース、アラビノース、ソルボース、ラクトース、マルトース、スクロース、トレハロース、マンニトール、マルチトール、キシリトール、ソルビトール、ミオイノシトールまたはエリスリトール、またはこれらの何れか一つの溶媒和物である、請求項１〜６のいずれかに記載の乾燥粉末製剤。
【請求項８】
賦形剤がラクトース一水和物である、請求項１〜７のいずれかに記載の乾燥粉末製剤。
【請求項９】
賦形剤がエリスリトールである、請求項１〜７のいずれかに記載の乾燥粉末製剤。
【請求項１０】
薬学的活性物質がグルココルチコステロイド、長時間作用型β２アゴニストまたは抗コリン化合物である、請求項１〜９のいずれかに記載の乾燥粉末製剤。
【請求項１１】
微粉粒子投与量を増加させるための、吸入治療に使用するための乾燥粉末製剤における、アスコルビン酸と(ｉ)飽和または不飽和、直鎖または分枝鎖Ｃ１２−Ｃ１８脂肪酸、(ii)二塩基酸の直鎖または分枝鎖Ｃ８−Ｃ１８アルキルまたはアルケニルモノエステル、(iii)直鎖または分枝鎖Ｃ１０−Ｃ１８アルカノイルまたはアルケノイルＮ−置換アミノ酸、または(iv)ヒドロキシ酸の直鎖または分枝鎖Ｃ１０−Ｃ１８アルカノイルまたはアルケノイルエステルの反応産物である添加剤の使用。
【請求項１２】
請求項１〜１０のいずれかに記載の乾燥粉末製剤を含む、乾燥粉末吸入器。
【請求項１３】
吸入器が多単位投与量装置である、請求項１２に記載の乾燥粉末吸入器。
【請求項１４】
アスコルビン酸と(ｉ)飽和または不飽和、直鎖または分枝鎖Ｃ１２−Ｃ１８脂肪酸、(ii)二塩基酸の直鎖または分枝鎖Ｃ８−Ｃ１８アルキルまたはアルケニルモノエステル、(iii)直鎖または分枝鎖Ｃ１０−Ｃ１８アルカノイルまたはアルケノイルＮ−置換アミノ酸、または(iv)ヒドロキシ酸の直鎖または分枝鎖Ｃ１０−Ｃ１８アルカノイルまたはアルケノイルエステルの反応産物である添加剤と混合された賦形剤を含む、乾燥粉末医薬製剤における使用に適する、担体物質。
【請求項１５】
請求項１〜１０のいずれかに記載の乾燥粉末製剤の製造方法であって、第一工程で賦形剤および添加剤を混合して混合物を形成させ、次いで、第二工程で、該第一工程からの混合物と薬学的活性物質を混合することを含む、方法。
【請求項１６】
請求項１〜１０のいずれかに記載の乾燥粉末製剤を、それを必要とする対象に投与することを含む、当該製剤に含まれる薬学的活性物質により治療し得る疾患の処置方法。
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
臍帯血および胎盤幹細胞を含む、未熟児の障害または状態を治療するための医薬組成物であって、前記障害または状態が早産によって引き起こされるまたは早産に伴うものである、医薬組成物。
【請求項２】
血液添加剤をさらに含み、前記血液添加剤は、エリスロポエチン、鉄補充物質、ビタミン、または臍帯血以外の供給源由来の赤血球である、請求項１に記載の医薬組成物。
【請求項３】
前記エリスロポエチンが、組換えエリスロポエチンである、請求項２に記載の医薬組成物。
【請求項４】
前記組換えエリスロポエチンは、天然のエリスロポエチンと比較して、血清半減期が延長されるように遺伝子操作されている、請求項３に記載の医薬組成物。
【請求項５】
前記ビタミンが、リボフラビン（ビタミンＢ２）、ピリドキシン（ビタミンＢ６）、葉酸、ビタミンＢ１２またはビタミンＥである、請求項２に記載の医薬組成物。
【請求項６】
前記鉄補充物質が、元素鉄（elemental iron)である、請求項２に記載の医薬組成物。
【請求項７】
前記赤血球が、少なくとも２５００ｃＧｙの放射線を照射されたものである、請求項２に記載の医薬組成物。
【請求項８】
前記赤血球から、白血球が除去されている、請求項２に記載の医薬組成物。
【請求項９】
前記未熟児が、出生時に妊娠約２３〜約２５週、約２６〜約２９週、約３０〜約３３週または約３４〜約３７週を経ている、請求項１に記載の医薬組成物。
【請求項１０】
出生時の前記未熟児の体重が、約８００グラム以上、約５００グラム〜約８００グラムまたは約５００グラム未満である、請求項１に記載の医薬組成物。
【請求項１１】
前記障害または状態が、呼吸促迫症候群（ＲＤＳ）、急性呼吸促迫症候群（ＡＲＤＳ）、貧血、神経学的な欠損、脳室内出血、壊死性腸炎、未熟児網膜症、慢性肺疾患（気管支肺異形成症）、感染症、動脈管開存、無呼吸、低血圧、高ビリルビン血症または臓器の不完全な発達によって引き起こされる障害もしくは状態である、請求項１に記載の医薬組成物。
【請求項１２】
前記臓器が、肺、眼、免疫系、脳、心臓、肝臓または腎臓である、請求項１１に記載の医薬組成物。
【請求項１３】
前記臍帯血が、未熟児にとって自己由来である、請求項１に記載の医薬組成物。
【請求項１４】
胎盤幹細胞が、未熟児にとって自己由来である、請求項１に記載の医薬組成物。
【請求項１５】
前記臍帯血が、正期産分娩後の哺乳動物の胎盤から得られたものである、請求項１に記載の医薬組成物。
【請求項１６】
前記臍帯血が、早産分娩後の哺乳動物の胎盤から得られたものである、請求項１に記載の医薬組成物。
【請求項１７】
前記胎盤が、前記未熟児の胎盤である、請求項１６に記載の医薬組成物。
【請求項１８】
前記胎盤が、妊娠約２３〜約２５週、約２６〜約２９週、約３０〜約３３週または約３４〜約３７週で出生した乳児の胎盤である、請求項１７に記載の医薬組成物。
【請求項１９】
前記臍帯血が、臍帯血バンクから得られたものである、請求項１に記載の医薬組成物。
【請求項２０】
前記胎盤幹細胞が、胎盤灌流液から単離された幹細胞または胎盤灌流液内に含有される幹細胞である、請求項１に記載の医薬組成物。
【請求項２１】
前記胎盤幹細胞が、ＣＤ３４＋細胞；ＣＤ３４−細胞；ＯＣＴ−４＋細胞；ＣＤ７３＋、ＣＤ１０５＋およびＣＤ２００＋である細胞；ＣＤ２００＋もしくはＨＬＡ−Ｇ＋である細胞；ＣＤ２００＋およびＯＣＴ−４＋である細胞；または、ＣＤ７３＋、ＣＤ１０５＋およびＨＬＡ−Ｇ＋である細胞を含む、請求項１に記載の医薬組成物。
【請求項２２】
前記胎盤幹細胞には、ＣＤ７３＋およびＣＤ１０５＋である細胞であって、前記細胞を含む胎盤細胞集団を、胚様体様の物体の形成を可能にする条件下で培養する場合、前記集団中における１つまたは複数の胚様体様の物体の形成を促進する細胞が含まれる、請求項１に記載の医薬組成物。
【請求項２３】
前記胎盤幹細胞には、ＯＣＴ−４＋である細胞であって、前記幹細胞を含む胎盤細胞集団を、胚様体様の物体の形成を可能にする条件下で培養する場合、前記集団中における１つまたは複数の胚様体様の物体の形成を促進する細胞が含まれる、請求項１に記載の医薬組成物。
【請求項２４】
前記胎盤幹細胞が、正期産分娩後または早産分娩後の哺乳動物の胎盤から得られる、請求項１に記載の医薬組成物。
【請求項２５】
前記胎盤幹細胞が、前記未熟児の胎盤から得られる、請求項１に記載の医薬組成物。
【請求項２６】
前記胎盤幹細胞が、妊娠約２３〜約２５週、約２６〜約２９週、約３０〜約３３週または約３４〜約３７週で出生した乳児の胎盤から得られる、請求項１に記載の医薬組成物。
【請求項２７】
前記臍帯血または前記胎盤幹細胞は免疫型が決定されていないものである、請求項１に記載の医薬組成物。
【請求項２８】
前記組成物は、前記未熟児に対し、前記未熟児の出生後１回または複数回投与してよいものである、請求項１に記載の医薬組成物。
【請求項２９】
前記組成物は、前記未熟児に対し、前記未熟児の出生後１時間以内、１２時間以内、２４時間以内または１週間以内に投与してよいものである、請求項１に記載の医薬組成物。
【請求項３０】
前記臍帯血が、前記未熟児の体重１キログラム当たり約１×１０５〜約１×１０６個のＣＤ３４＋細胞を含む、請求項１に記載の医薬組成物。
【請求項３１】
前記胎盤幹細胞および前記臍帯血が併せて、前記未熟児の体重１キログラム当たり約１×１０５〜約１×１０６個のＣＤ３４＋細胞を含む、請求項１に記載の医薬組成物。
【請求項３２】
前記組成物は、静脈内注射により投与してよいものである、請求項１に記載の医薬組成物。
【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
蛋白尿症を軽減するか、あるいは除去するのに有効な量のαｖβ３インテグリン阻害剤が必要な患者に投与されるように用いられることを特徴とする、蛋白尿症を治療するためのαｖβ３インテグリン阻害剤。
【請求項２】
前記蛋白尿症は腎蛋白尿症であることを特徴とする、請求項１に記載のαｖβ３インテグリン阻害剤。
【請求項３】
前記腎蛋白尿症は、糖尿病性腎症、ネフローゼ症候群（例えば、内因性腎不全）、腎炎症候群、腎臓の毒性病変、膜性糸球体腎炎のような糸球体疾患、巣状分節性糸球体硬化症（ＦＳＧＳ）、ＩｇＡ腎症（例えば、ベルジェ病）、ＩｇＭ腎症、膜性増殖性糸球体腎炎、膜性腎症、微小変化群、高血圧性腎硬化症及び間質性腎炎を含むリストから選択されることを特徴とする、請求項２に記載のαｖβ３インテグリン阻害剤。
【請求項４】
前記腎蛋白尿症は糖尿病性腎症であることを特徴とする、請求項３に記載のαｖβ３インテグリン阻害剤。
【請求項５】
前記腎蛋白尿症は、子癇前症、子癇、膠原病性血管疾患（例えば、全身性エリテマトーデス）、脱水、激しい運動、ストレス、良性起立性（体位性）蛋白尿症、サルコイドーシス、アルポート症候群、糖尿病、ファブリー病、感染（例えば、ＨＩＶ、梅毒、肝炎、連鎖球菌感染後の感染）、アミノ酸尿症、ファンコニー症候群、重金属の摂取、鎌状赤血球貧血、血色素尿症、多発性骨髄腫、ミオグロビン尿、臓器拒絶反応、エボラ出血熱及び爪膝蓋症候群を含むリストから選択されることを特徴とする、請求項２に記載のαｖβ３インテグリン阻害剤。
【請求項６】
前記αｖβ３インテグリン阻害剤は、αｖβ３モノクローナル抗体か、ＲＧＤ結合配列を含むペプチドかであることを特徴とする、請求項１に記載のαｖβ３インテグリン阻害剤。
【請求項７】
前記αｖβ３インテグリン阻害剤はαｖβ３モノクローナル抗体であることを特徴とする、請求項６に記載のαｖβ３インテグリン阻害剤。
【請求項８】
前記αｖβ３モノクローナル抗体は抗ＣＤ６１であることを特徴とする、請求項７に記載のαｖβ３インテグリン阻害剤。
【請求項９】
前記αｖβ３インテグリン阻害剤はＲＧＤ結合配列を含むペプチドであることを特徴とする、請求項１に記載のαｖβ３インテグリン阻害剤。
【請求項１０】
ＲＧＤ結合配列を含む前記ペプチドは、環状［Ａｒｇ−Ｇｌｙ−Ａｓｐ−Ｄ−Ｐｈｅ−Ｖａｌ］であることを特徴とする、請求項９に記載のαｖβ３インテグリン阻害剤。
【請求項１１】
前記αｖβ３インテグリン阻害剤は、以下の式の化合物か、その薬学的に許容可能な塩かであることを特徴とする、請求項１に記載のαｖβ３インテグリン阻害剤。
【化１】
2011503065.tif 000001
【誤訳訂正書】
【提出日】平成23年8月3日(2011.8.3)
【誤訳訂正１】
【訂正対象書類名】特許請求の範囲
【訂正対象項目名】請求項１
【訂正方法】変更
【訂正の内容】
【請求項１】
少なくとも１種のロジウム化合物を溶解形態で含む有機溶液の反応域への供給、ならびに少なくとも１種のロジウム化合物の存在下および錯形成有機リン化合物の非存在下での、この反応域における、均一有機相での、オレフィン性不飽和化合物の一酸化炭素および水素との反応による、アルデヒドの製造方法であって、前記ロジウム含有有機溶液に、酸当量として計算してロジウム１モルあたり全量で３モルより大きく３０００モル以下の、５〜１３個の炭素原子を分子内に有する飽和脂肪族モノカルボン酸、５〜１３個の炭素原子を分子内に有する飽和脂肪族ジカルボン酸および１〜１２個の炭素原子を分子内に有するスルホン酸から選択される少なくとも１種の有機酸またはそれらの混合物を添加し、引き続きこの溶液を反応域に供給することを特徴とする、前記の製造方法。
【誤訳訂正２】
【訂正対象書類名】明細書
【訂正対象項目名】００１０
【訂正方法】変更
【訂正の内容】
【００１０】
従って、本発明は、少なくとも１種のロジウム化合物を溶解形態で含む有機溶液の反応域への供給、ならびに少なくとも１種のロジウム化合物の存在下および錯形成有機リン化合物の非存在下での、この反応域における、均一有機相での、オレフィン性不飽和化合物の一酸化炭素および水素との反応による、アルデヒドの製造方法を提供する。これは、ロジウム含有有機溶液に、ロジウム１モルあたり酸当量として計算して全量で３モルより大きく３０００モル以下の、５〜１３個の炭素原子を分子内に有する飽和脂肪族モノカルボン酸、５〜１３個の炭素原子を分子内に有する飽和脂肪族ジカルボン酸および１〜１２個の炭素原子を分子内に有するスルホン酸から選択される少なくとも１種の有機酸またはそれらの混合物を添加し、引き続きこの溶液を反応域に供給することを特徴とする。反応域に供給される有機溶液は少なくとも１種のロジウム化合物を溶解形態で含有し、以下においては、ロジウム溶液とも呼ばれる。このロジウム溶液の調製に使用される溶剤は、ロジウム化合物の完全な溶解を保証しなければならない。好適な溶剤は、例えば、水不溶性のケトン類、ジアルキルエーテル、脂肪族ニトリル類、芳香族炭化水素類、例えばベンゼンもしくはトルエン、異性体キシレン類もしくはメシチレン、飽和脂環式炭化水素類、例えばシクロペンタンもしくはシクロヘキサン、または飽和脂肪族炭化水素類、例えばｎ−ヘキサン、ｎ−ヘプタンもしくはｎ−オクタンである。極性溶剤、例えば脂肪族飽和モノアルコール類、例えばメタノール、エタノール、プロパノール、ｎ−およびイソ−ブタノール、異性体ペンタノール類、例えば２−エチルヘキサノール、３，５，５−トリメチルヘキサノールを基礎とするイソノナノール、飽和多価アルコール類、例えば１，３−プロパンジオール、１，４−ブタンジオール、またはポリアルキレングリコール類、例えばエチレングリコール、トリエチレングリコールおよびこれらのモノ−およびジエーテル、例えばそれらのメチル−もしくはブチルエーテル、または極性エステル化合物、例えばＥａｓｔｍａｎ社のＴｅｘａｎｏｌ（登録商標）もまた好適である。ロジウム化合物の十分な可溶性が確保され、溶剤または溶剤混合物が後続のヒドロホルミル化条件下で不活性なことが明らかである限り、溶剤の混合物も使用することができる。２−エチルヘキサノールまたはトルエンがロジウム溶液の調製用溶剤として特に好適なことがわかった。
【誤訳訂正３】
【訂正対象書類名】明細書
【訂正対象項目名】００１９
【訂正方法】変更
【訂正の内容】
【００１９】
合成ガスの組成、すなわちガス混合物における一酸化炭素および水素の割合は、広い範囲で変えることができる。通常、一酸化炭素の水素に対するモル比が５：１〜１：５である混合物が使用される。通常、この比率は１：１であるか、またはこの値とわずかだけ相違する。オレフィン性化合物は、そのまままたは溶液で反応域に供給される。好適な溶剤は、ケトン類、例えばアセトン、メチルエチルケトン、アセトフェノン、低級脂肪族ニトリル、例えばアセトニトリル、プロピオニトリルもしくはベンゾニトリル、ジメチルホルムアミド、直鎖状もしくは分岐状飽和脂肪族モノヒドロキシ化合物、例えばメタノール、エタノール、プロパノールおよびイソプロパノール、芳香族炭化水素類、例えばベンゼンもしくはトルエン、および飽和脂環式炭化水素類、例えばシクロペンタンもしくはシクロヘキサンである。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
ヒトニュールツリンタンパク質の変異体またはその生物学的活性断片であって、前記タンパク質またはその断片は、ヒトニュールツリンと比較して少なくとも１つのアミノ酸変化を有し、前記アミノ酸変化は成熟ヒトニュールツリンのアミノ酸位置４７〜６９の範囲にある、ヒトニュールツリンタンパク質の変異体またはその生物学的活性断片。
【請求項２】
前記アミノ酸変化が成熟ヒトニュールツリンのアミノ酸５１〜６５の間にある請求項１に記載のニュールツリンタンパク質またはその断片。
【請求項３】
成熟ヒトニュールツリンのアルギニン残基５１、５２、５４、５６、５７、５８、６０、６１または６５のうちの少なくとも１つが欠失されるかまたは置換される請求項１または２に記載のニュールツリンタンパク質またはその断片。
【請求項４】
成熟ヒトニュールツリンのアルギニン残基５１、５２、５４、５６、５７、５８、６０、６１または６５のうちの少なくとも１つが中性または酸性アミノ酸残基またはリシンにより置換される請求項３に記載のニュールツリンタンパク質またはその断片。
【請求項５】
少なくとも１つのリシン残基が導入される請求項１〜４のいずれか一項に記載のニュールツリン複合体。
【請求項６】
前記少なくとも１つのアルギニン残基が、グルタミン酸またはリシンと置換される請求項４に記載のニュールツリンタンパク質またはその断片。
【請求項７】
前記少なくとも１つのアルギニン残基が、グルタミン酸と置換される請求項５に記載のニュールツリンタンパク質またはその断片。
【請求項８】
前記少なくとも１つのアルギニン残基が、リシンと置換される請求項５に記載のニュールツリンタンパク質またはその断片。
【請求項９】
前記ニュールツリンタンパク質またはその断片がポリオール部分を含む請求項１〜８のいずれか一項に記載のニュールツリンタンパク質またはその断片。
【請求項１０】
前記ポリオール部分がポリエチレングリコール部分である請求項９に記載のニュールツリンタンパク質またはその断片。
【請求項１１】
前記ポリオール部分が一本鎖ポリオール部分である請求項９に記載のニュールツリンタンパク質またはその断片。
【請求項１２】
前記ポリオール部分が分枝鎖ポリオール部分である請求項９に記載のニュールツリンタンパク質またはその断片。
【請求項１３】
前記ポリオール部分がポリアルキレングリコール部分である請求項９に記載のニュールツリンタンパク質またはその断片。
【請求項１４】
ネイティブヒトニュールツリンと同一またはそれより高いｉｎ  ｖｉｖｏニュールツリン活性を有する、請求項１〜１３のいずれか一項に記載のニュールツリンタンパク質またはその断片。
【請求項１５】
前記タンパク質またはその断片は、野生型ヒトニュールツリンと比較して少なくとも２つ、３つまたは４つのアミノ酸変化を含むヒトニュールツリンの変異体である、請求項１〜１４のいずれか一項に記載のニュールツリンタンパク質またはその断片。
【請求項１６】
前記ニュールツリンタンパク質又はその断片が、成熟ヒトニュールツリンのアミノ酸位置６３にグルタミン酸を含まない、請求項１〜１５のいずれか一項に記載のニュールツリンタンパク質またはその断片。
【請求項１７】
請求項１〜１６のいずれか一項に記載のニュールツリンタンパク質またはその断片を含む薬学的組成物であって、前記組成物は薬学的に許容可能な担体、希釈剤若しくはアジュバントのうちの一つまたはこれらの任意の組み合わせを更に含む、薬学的組成物。
【請求項１８】
前記ニュールツリンタンパク質またはその断片が、モノ−ＰＥＧ化され、単一ポリエチレングリコール分子鎖を含む請求項１７に記載の組成物。
【請求項１９】
前記ニュールツリンタンパク質またはその断片が、オリゴ−ＰＥＧ化またはポリ−ＰＥＧ化され、２つ、３つ、４つまたは幾つかのポリエチレングリコール分子鎖を含む請求項１７に記載の組成物。
【請求項２０】
前記ニュールツリンタンパク質またはその断片が、少なくとも１つの線状ポリエチレングリコール分子鎖を含む請求項１７〜１９のいずれか一項に記載の組成物。
【請求項２１】
前記ニュールツリンタンパク質またはその断片が、少なくとも１つの分枝鎖ポリエチレングリコール分子鎖を含む請求項１７〜１９のいずれか一項に記載の組成物。
【請求項２２】
前記ポリエチレングリコール分子が、１００〜１００００Ｄａの、好ましくは２００〜８０００Ｄａの、最も好ましくは１０００〜７０００Ｄａの平均分子量を有する請求項１７〜２１のいずれか一項に記載の組成物。
【請求項２３】
前記ポリエチレングリコール分子が、前記修飾ニュールツリンタンパク質またはその断片のＮ末端アミノ酸に連結される請求項１７〜２２のいずれか一項に記載の組成物。
【請求項２４】
前記ポリエチレングリコール分子が、アシルまたはアルキル結合を介して前記修飾ニュールツリンタンパク質またはその断片に連結される請求項１７〜２３のいずれか一項に記載の組成物。
【請求項２５】
前記ポリエチレングリコール分子が、ＯＨ−、ＯＣＨ３−またはＯＥｔ−基により終結される請求項１７〜２４のいずれか一項に記載の組成物。
【請求項２６】
非修飾対照ニュールツリンタンパク質またはその断片を有する組成物と比較して、活性成分の生物学的利用能増大を示す請求項１７〜２５のいずれか一項に記載の組成物。
【請求項２７】
前記修飾ニュールツリンタンパク質が、活性成分の生物学的利用能の少なくとも２倍、５倍または１０倍の増大を提供する量で存在する請求項１７〜２６のいずれか一項に記載の組成物。
【請求項２８】
注射または注入のための請求項１７〜２７のいずれか一項に記載の組成物。
【請求項２９】
皮下または静脈内注射のための請求項２８に記載の組成物。
【請求項３０】
膵臓疾患または神経変性疾患の予防または治療における使用のための請求項１７〜２９のいずれか一項に記載の組成物。
【請求項３１】
Ｉ型真性糖尿病、ＬＡＤＡまたはＩＩ型真性糖尿病の予防または治療における使用のための請求項３０に記載の組成物。
【請求項３２】
哺乳類、特にヒトへの投与のための請求項１７〜３１のいずれか一項に記載の組成物。
【請求項３３】
それを必要とする対象の治療のための薬剤の製造における請求項１７〜２９のいずれか一項に記載の薬学的組成物の使用。
【請求項３４】
前記対象は、膵臓疾患または神経変性疾患を患っている請求項３３に記載の使用。
【請求項３５】
前記対象は、Ｉ型真性糖尿病、ＬＡＤＡまたはＩＩ型真性糖尿病を患っている請求項３３に記載の使用。
【請求項３６】
それを必要とする対象の治療において使用するための請求項１７〜２９のいずれか一項に記載の薬学的組成物。